(57)【要約】【課題】Ｅ−ｍａｉｌアドレスの入力・編集操作が容易な携帯電話機を得る。【解決手段】Ｅ−ｍａｉｌアドレスの一部が入力部１に入力されると、制御部３は、Ｅ−ｍａｉｌアドレスの一部に対応するドメイン部分を、ドメイン記憶部５から読み出して表示部２に表示し、ユーザが選択したドメイン部分を、制御部３が入力したＥ−ｍａｉｌアドレスの一部に補完し、Ｅ−ｍａｉｌアドレスを作成する。また、制御部３は、作成したＥ−ｍａｉｌアドレスをアドレス記憶部に保存すると共に、作成したＥ−ｍａｉｌアドレスのドメイン部分をドメイン記憶部５に保存する。【選択図】図１
2006048722.tif 000002
【特許請求の範囲】
【請求項１】
Ｅ−ｍａｉｌアドレスのアカウント部分とドメイン部分の一部を入力する入力部と、
上記Ｅ−ｍａｉｌアドレスを保存するアドレス記憶部と、
このアドレス記憶部に保存したＥ−ｍａｉｌアドレスから抽出した上記ドメイン部分を保存するドメイン記憶部と、
このドメイン記憶部に保存したドメイン部分を表示する表示部と、
上記入力部より入力されたＥ−ｍａｉｌアドレスのドメイン部分の一部に対応するドメイン部分を、上記ドメイン記憶部から読み出して上記表示部に表示させ、該表示部に表示されたドメイン部分の中から上記入力部を介して選択されたドメイン部分を、上記入力部より入力されたＥ−ｍａｉｌアドレスのアカウント部分に補完してＥ−ｍａｉｌアドレスを作成し、この作成したＥ−ｍａｉｌアドレスを上記アドレス記憶部に保存する制御部と
を備えたことを特徴とする携帯電話機。
【請求項２】
ドメイン記憶部は、アドレス記憶部から重複することなくＥ−ｍａｉｌアドレスのドメイン部分を抽出して保存することを特徴とする請求項１記載の携帯電話機。
【発明の詳細な説明】
【技術分野】
【０００１】
この発明は、メモリダイヤル登録時やＥ−ｍａｉｌ送信時に、Ｅ−ｍａｉｌアドレスを入力する携帯電話機に関するものである。
【背景技術】
【０００２】
携帯電話機における文字の入力は、１０個程度のキーを使用するため、英数字１文字入力するのに、ほとんどの場合、複数回のキー押下が必要である。ユーザがＥ−ｍａｉｌアドレスを入力するときにも、同じドメインであるＥ−ｍａｉｌアドレスが多いにも関わらず、上記の入力方法と同様に、複数回のキー押下により入力されている。
【０００３】
一般的には、Ｅ−ｍａｉｌアドレスの入力を簡易化するために、「．ｃｏ」や「．ｊｐ」等を簡単に選択して入力する方法が用いられている。この方法によりキー押下回数は減少するが、同じドメインのＥ−ｍａｉｌアドレスを入力するのに、複数回のキー押下による同様の手順が必要であることには変わりがない。
【発明の開示】
【発明が解決しようとする課題】
【０００４】
従来の携帯電話機は以上のように構成されているので、同じドメインのＥ−ｍａｉｌアドレスを入力するのに、複数回のキー押下による手順が必要で、操作が煩わしいという課題があった。
【０００５】
また、Ｅ−ｍａｉｌアドレスのドメインを編集するのに、編集後のドメインと同じドメインが既存のＥ−ｍａｉｌアドレスにあったとしても、利用することはできないという課題があった。
【０００６】
さらに、ドメインが変更になった場合、そのドメインに属する全てのＥ−ｍａｉｌアドレスの編集が必要になるという課題があった。
【０００７】
この発明は上記のような課題を解決するためになされたもので、Ｅ−ｍａｉｌアドレスの入力操作と編集操作が容易な携帯電話機を得ることを目的とする。
【課題を解決するための手段】
【０００８】
この発明に係る携帯電話機は、Ｅ−ｍａｉｌアドレスのアカウント部分とドメイン部分の一部を入力する入力部と、上記Ｅ−ｍａｉｌアドレスを保存するアドレス記憶部と、このアドレス記憶部に保存したＥ−ｍａｉｌアドレスから抽出した上記ドメイン部分を保存するドメイン記憶部と、このドメイン記憶部に保存したドメイン部分を表示する表示部と、上記入力部より入力されたＥ−ｍａｉｌアドレスのドメイン部分の一部に対応するドメイン部分を、上記ドメイン記憶部から読み出して上記表示部に表示させ、該表示部に表示されたドメイン部分の中から上記入力部を介して選択されたドメイン部分を、上記入力部より入力されたＥ−ｍａｉｌアドレスのアカウント部分に補完してＥ−ｍａｉｌアドレスを作成し、この作成したＥ−ｍａｉｌアドレスを上記アドレス記憶部に保存する制御部とを備えたものである。
【０００９】
この発明に係る携帯電話機は、ドメイン記憶部が、アドレス記憶部から重複することなくＥ−ｍａｉｌアドレスのドメイン部分を抽出して保存するものである。
【発明の効果】
【００１０】
この発明によれば、制御部が、入力部より入力されたＥ−ｍａｉｌアドレスのドメイン部分の一部に対応するドメイン部分を、ドメイン記憶部から読み出して表示部に表示させ、表示部に表示されたドメイン部分の中から入力部を介して選択されたドメイン部分を、入力部より入力されたＥ−ｍａｉｌアドレスのアカウント部分に補完してＥ−ｍａｉｌアドレスを作成し、この作成したＥ−ｍａｉｌアドレスをアドレス記憶部に保存することにより、Ｅ−ｍａｉｌアドレスの入力操作を簡略化し容易にすることができるという効果がある。
【００１１】
この発明によれば、ドメイン記憶部が、アドレス記憶部から重複することなくＥ−ｍａｉｌアドレスのドメイン部分を抽出して保存することにより、ドメイン部分の選択がより容易になり、Ｅ−ｍａｉｌアドレスの入力操作を簡略化し容易にすることができるという効果がある。
【発明を実施するための最良の形態】
【００１２】
以下、この発明の実施の一形態を説明する。
実施の形態１．
図１はこの発明の実施の形態１による携帯電話機の構成を示すブロック図であり、図において、１はＥ−ｍａｉｌアドレスを入力する入力部、２は入力したＥ−ｍａｉｌアドレスを表示する表示部、３はＥ−ｍａｉｌアドレスに関する処理を行う制御部、４はＥ−ｍａｉｌアドレスを保存するアドレス記憶部、５はＥ−ｍａｉｌアドレスにおけるドメイン部分を保存するドメイン記憶部である。
【００１３】
次に動作について説明する。
図２は最初にＥ−ｍａｉｌアドレスを入力し保存する方法を説明する図であり、図２において、１１は入力部１に入力された氏名、１２は入力部１に入力されたＥ−ｍａｉｌアドレス、４１はアドレス記憶部４に記憶されている氏名リスト、４２はアドレス記憶部４に記憶されているアドレスリスト、５１はドメイン記憶部５に記憶されているドメインリストである。
【００１４】
図３は最初にＥ−ｍａｉｌアドレスを入力し保存する処理を示すフローチャートである。ステップＳＴ１において、ユーザが入力部１から氏名１１とＥ−ｍａｉｌアドレス１２を入力すると、制御部３は入力した氏名１１とＥ−ｍａｉｌアドレス１２を表示部２に表示し、ユーザが確認する。ステップＳＴ２において、制御部３は、入力した氏名１１とＥ−ｍａｉｌアドレス１２を、アドレス記憶部４に氏名リスト４１とアドレスリスト４２として保存する。ステップＳＴ３において、制御部３は保存したＥ−ｍａｉｌアドレス１２のドメイン部分を抽出し、ドメイン記憶部５にドメインリスト５１として保存する。
【００１５】
図４はアドレスの一部を入力しアドレスを作成する方法を説明する図であり、図において、１３は入力するＥ−ｍａｉｌアドレスの一部、５１はドメイン記憶部５に保存されているドメインリスト、３１は自動補完により作成されたアドレスである。
【００１６】
図５はＥ−ｍａｉｌアドレスの一部を入力しＥ−ｍａｉｌアドレスを作成して保存する処理を示すフローチャートである。ステップＳＴ１１において、ユーザが、入力部１から、Ｅ−ｍａｉｌアドレスのアカウント部分とアットマーク＠とアットマーク＠の次の１文字からなるＥ−ｍａｉｌアドレスの一部１３を入力する。ここでは、Ｅ−ｍａｉｌアドレスの一部に対応する氏名も入力するが、以降の説明では省略する。
【００１７】
ステップＳＴ１２において、制御部３は、入力したアットマーク＠の次の１文字に対応するドメインリスト１５をドメイン記憶部５から読み出して表示する。ステップＳＴ１３において、表示されているドメインリスト１５の中から、ユーザが入力部１を介して該当するドメイン部分を選択する。
【００１８】
ステップＳＴ１４において、制御部３は、ステップＳＴ１１で入力したアカウント部分とアットマーク＠に、選択されたドメイン部分を補完してＥ−ｍａｉｌアドレス３１を作成する。ステップＳＴ１５において、制御部３は、作成したＥ−ｍａｉｌアドレス３１をアドレス記憶部４に保存し、ステップＳＴ１６において、制御部３は、保存したＥ−ｍａｉｌアドレスのドメイン部分を抽出しドメイン記憶部５に保存する。
【００１９】
以上のように、この実施の形態１によれば、Ｅ−ｍａｉｌアドレスの一部を入力し、入力されたアットマーク＠以降のドメイン部分の一部より、ドメイン記憶部５に記憶されているドメインリストを読み出し、ドメインリストから該当のドメイン部分を選択し、入力したＥ−ｍａｉｌアドレスの一部に、選択したドメイン部分を自動的に補完することにより、Ｅ−ｍａｉｌアドレスを作成するので、Ｅ−ｍａｉｌアドレスの入力操作を簡略化し容易にすることができるという効果が得られる。
【００２０】
実施の形態２．
図６はこの発明の実施の形態２による携帯電話機の構成を示すブロック図であり、図において、６は入力部１に備えられドメイン記憶部５に保存されているドメイン部分をアクセスするドメインアクセスキーであり、その他の構成は、実施の形態１の図１に示す構成と同一である。
【００２１】
次に動作について説明する。
図７はＥ−ｍａｉｌアドレスの一部を入力しＥ−ｍａｉｌアドレスを作成する方法を説明する図であり、図において、１４は入力するＥ−ｍａｉｌアドレスの一部、３２，３３，３４は自動補完により順次作成されたＥ−ｍａｉｌアドレス、５１はドメイン記憶部５に保存されているドメインリストである。
【００２２】
図８はＥ−ｍａｉｌアドレスの一部を入力しＥ−ｍａｉｌアドレスを作成して保存する処理を示すフローチャートである。ステップＳＴ２１において、ユーザが入力部１からＥ−ｍａｉｌアドレスのアカウント部分とアットマーク＠からなるＥ−ｍａｉｌアドレスの一部１４を入力し、ステップＳＴ２２において、ユーザが入力部１のドメインアクセスキー６を押下する。
【００２３】
ステップＳＴ２３において、制御部３は、ドメイン記憶部５からドメイン部分を１つ読み出して、入力されたＥ−ｍａｉｌアドレスの一部１４に、読み出したドメイン部分を補完しＥ−ｍａｉｌアドレス３２を作成し、ステップＳＴ２４において、制御部３は作成したＥ−ｍａｉｌアドレス３２を表示部２に表示する。
【００２４】
ステップＳＴ２５において、ユーザは表示部２に表示されたＥ−ｍａｉｌアドレス３２が該当するＥ−ｍａｉｌアドレスであるかを確認し、該当するＥ−ｍａｉｌアドレスでなければ、上記ステップＳＴ２２からＳＴ２４を繰り返し、Ｅ−ｍａｉｌアドレス３３を作成して表示する。このように、該当するＥ−ｍａｉｌアドレスが作成されるまで、ユーザはドメインアクセスキー６を順次押下する。
【００２５】
ステップＳＴ２５で、作成されたＥ−ｍａｉｌアドレス３４が該当するＥ−ｍａｉｌアドレスであることを確認すると、ステップＳＴ２６において、制御部３は該当するＥ−ｍａｉｌアドレス３４をアドレス記憶部４に保存し、ステップＳＴ２７において、制御部３は保存したＥ−ｍａｉｌアドレス３４のドメイン部分を抽出しドメイン記憶部５に保存する。
【００２６】
以上のように、この実施の形態２によれば、ドメインアクセスキー６を順次押下することにより、アットマーク＠以降に自動補完するドメインを、順次切り替えてＥ−ｍａｉｌアドレスを作成するため、Ｅ−ｍａｉｌアドレスの入力操作を簡略化して容易にすることができるという効果が得られる。
【００２７】
実施の形態３．
この実施の形態３による携帯電話機の構成は、実施の形態２の図６に示す構成と同一である。
【００２８】
次に動作について説明する。
図９はＥ−ｍａｉｌアドレスの一部を入力しアドレスを作成する方法を説明する図であり、図において、１４は入力するＥ−ｍａｉｌアドレスの一部、２１はドメイン記憶部５に保存されているドメインリスト５１を表示部２により表示したドメインリスト、３５は自動補完により作成されたＥ−ｍａｉｌアドレスである。
【００２９】
図１０はＥ−ｍａｉｌアドレスの一部を入力しＥ−ｍａｉｌアドレスを作成して保存する処理を示すフローチャートである。ステップＳＴ３１において、ユーザが入力部１からＥ−ｍａｉｌアドレスのアカウント部分とアットマーク＠からなるＥ−ｍａｉｌアドレスの一部１４を入力し、ステップＳＴ３２において、ユーザが入力部１のドメインアクセスキー６を押下すると、ステップＳＴ３３において、制御部３は、ドメイン記憶部５からドメインリスト５１を読み出して表示部２にドメインリスト２１として表示する。
【００３０】
ステップＳＴ３４において、ユーザが表示部２に表示されたドメインリスト２１の中から、入力部１を介して該当するドメイン部分を選択すると、ステップＳＴ３５において、制御部３は、入力されたＥ−ｍａｉｌアドレスの一部１４に、選択されたドメイン部分を補完しＥ−ｍａｉｌアドレス３５を作成する。
【００３１】
ステップＳＴ３６において、制御部３は作成したＥ−ｍａｉｌアドレス３５をアドレス記憶部４に保存し、ステップＳＴ３７において、制御部３は保存したＥ−ｍａｉｌアドレス３５のドメイン部分を抽出しドメイン記憶部５に保存する。
【００３２】
以上のように、この実施の形態３によれば、ユーザはドメインリスト１３から該当するドメイン部分を選択することができるため、保存されたドメイン部分の数が多くなっても容易に該当するドメイン部分を選択でき、Ｅ−ｍａｉｌアドレスの入力操作を簡略化し容易にすることができるという効果が得られる。
【００３３】
実施の形態４．
この実施の形態４による携帯電話機の構成は、実施の形態１の図１，実施の形態２及び実施の形態３の図６に示す構成のいずれであっても良い。
【００３４】
次に動作について説明する。
図１１はＥ−ｍａｉｌアドレスを入力してドメインリストを作成する方法を説明する図であり、図において、１１は入力部１に入力された氏名、１２は入力部１に入力されたＥ−ｍａｉｌアドレス、４１はアドレス記憶部４に記憶されている氏名リスト、４２はアドレス記憶部４に記憶されているアドレスリストであり、図２に示すものと同一である。また、図１１において、５２はドメイン記憶部５に記憶されるドメインリストである。
【００３５】
上記実施の形態１から実施の形態３までは、実施の形態１の図５におけるステップＳＴ１６，実施の形態２の図８におけるステップＳＴ２７，実施の形態３の図１０におけるステップＳＴ３７に示すように、アドレス記憶部４に保存されたＥ−ｍａｉｌアドレスの全てについて、ドメイン部分を抽出しドメイン記憶部５に保存しているため、重複するドメイン部分が存在している。
【００３６】
しかし、この実施の形態４では、図１１に示すように、制御部３がアドレス記憶部４からドメイン部分を抽出するときに、重複するドメインを削除してドメイン記憶部５に保存する。
【００３７】
以上のように、この実施の形態４によれば、ドメイン記憶部５に保存しているドメイン部分が重複しないので、ドメイン部分の選択がより容易になり、Ｅ−ｍａｉｌアドレスの入力操作を簡略化し容易にすることができるという効果が得られる。
【００３８】
実施の形態５．
図１２はこの発明の実施の形態５による携帯電話機の構成を示すブロック図であり、図において、７はドメインリストを格納する一時記憶領域で、その他の構成は、実施の形態１の図１からドメイン記憶部５を省略した構成と同じである。
【００３９】
次に動作について説明する。
図１３はアドレス記憶部４からドメインリストを抽出する様子を説明する図であり、図において、４１はアドレス記憶部４に保存されている氏名リスト、４２はアドレス記憶部４に保存されているアドレスリスト、７１は一時記憶領域７に格納されているドメインリストである。
【００４０】
図１４はＥ−ｍａｉｌアドレスの一部を入力しＥ−ｍａｉｌアドレスを作成して保存する処理を示すフローチャートである。ステップＳＴ４１において、ユーザが入力部１からＥ−ｍａｉｌアドレスのアカウント部分とアットマーク＠からなるＥ−ｍａｉｌアドレスの一部を入力すると、ステップＳＴ４２において、制御部３はアドレス記憶部４に保存されているアドレスリスト４２から各ドメイン部分を抽出し、ドメインリスト７１を一時記憶領域７に格納する。
【００４１】
ステップＳＴ４３において、制御部３は一時記憶領域７に格納されたドメインリスト７１を表示部２で表示し、ステップＳＴ４４において、ユーザが表示部２に表示されたドメインリスト７１の中から、入力部１を介して該当するドメイン部分を選択すると、ステップＳＴ４５において、制御部３は、入力したＥ−ｍａｉｌアドレスの一部に、選択されたドメイン部分を補完しＥ−ｍａｉｌアドレスを作成する。ステップＳＴ４６において、制御部３は作成したＥ−ｍａｉｌアドレスをアドレス記憶部４に保存する。
【００４２】
以上のように、この実施の形態５によれば、Ｅ−ｍａｉｌアドレスの入力操作を簡略化し容易にすることができると共に、ドメインリスト７１をアドレスリスト４２から抽出することにより、ドメイン記憶部５が不要となり、メモリを節約することができるという効果が得られる。
【００４３】
実施の形態６．
図１５はこの発明の実施の形態６による携帯電話機の構成を示すブロック図であり、図において、７は編集対象のドメイン部分を格納する一時記憶領域で、その他の構成は、実施の形態１の図１と同一である。
【００４４】
次に動作について説明する。
図１６はＥ−ｍａｉｌアドレスの編集を説明する図であり、図において、２１は表示部２に表示されたドメインリスト、２２は表示部２に表示された編集後のドメインリスト、４１はアドレス記憶部４に保存されている氏名リスト、４２はアドレス記憶部４に保存されているアドレスリスト、４３はアドレス記憶部４に保存されている編集後のアドレスリスト、５１はドメイン記憶部５に保存されているドメインリスト、５３はドメイン記憶部５に保存されている編集後のドメインリスト、７２は一時記憶領域７に格納されている編集対象のドメイン部分である。
【００４５】
図１７はＥ−ｍａｉｌアドレスの編集処理を示すフローチャートである。ステップＳＴ５１において、入力部１を介したユーザからの編集指示により、制御部３はドメイン記憶部５からドメインリスト５１を読み出して、表示部２にドメインリスト２１として表示し、ステップＳＴ５２において、ユーザが入力部１を介して選択した編集対象のドメイン部分を、制御部３は一時記憶領域７にドメイン部分７２として格納する。
【００４６】
ステップＳＴ５３において、ユーザが入力部１を介して対象のドメイン部分を編集し、表示部２に表示されているドメインリスト２１をドメインリスト２２に変更する。ステップＳＴ５４において、制御部３は一時記憶領域７に格納されたドメイン部分に対応したＥ−ｍａｉｌアドレスをアドレス記憶部４から検索し、ステップＳＴ５５において、制御部３は検索したＥ−ｍａｉｌアドレスのドメイン部分を、上記ステップＳＴ５３で編集したドメイン部分に置換する。
【００４７】
ステップＳＴ５６において、制御部３は、ドメイン部分を置換することにより編集したＥ−ｍａｉｌアドレスを、アドレスリスト４３としてアドレス記憶部４に保存し、ステップＳＴ５７において、制御部３は、編集したドメイン部分を、ドメインリスト５３としてドメイン記憶部５に保存する。
【００４８】
この実施の形態では、編集対象のドメイン部分を保有する全てのＥ−ｍａｉｌアドレスを編集しているが、上記ステップＳＴ５４とＳＴ５５の間で、ユーザが編集するＥ−ｍａｉｌアドレスを選択しても良い。
【００４９】
以上のように、この実施の形態６によれば、ドメイン記憶部５に保存されているドメイン部分を編集することで、アドレス記憶部４に保存されている同じドメイン部分を保有したＥ−ｍａｉｌアドレスを編集することができるため、編集操作が容易となるという効果が得られる。
【００５０】
実施の形態７．
この実施の形態による携帯電話機の構成は、実施の形態６の図１５からドメイン記憶部５を削除したものと同一である。
【００５１】
次に動作ついて説明する。
図１８はＥ−ｍａｉｌアドレスの編集を説明する図であり、実施の形態６の図１６からドメイン記憶部５のドメインリスト５１，５３を削除したものと同一である。
【００５２】
図１９はＥ−ｍａｉｌアドレスの編集処理を示すフローチャートである。ステップＳＴ６１において、入力部１を介したユーザからの編集指示により、制御部３はアドレス記憶部４のアドレスリスト４２から各ドメイン部分を重複なく抽出し、表示部２にドメインリスト２１として表示し、ステップＳＴ６２において、ユーザが入力部１を介して選択した編集対象のドメイン部分を、制御部３は一時記憶領域７にドメイン部分７２として格納する。
【００５３】
ステップＳＴ６３において、ユーザが入力部１を介して対象のドメイン部分を編集し、表示部２に表示されているドメインリスト２１をドメインリスト２２に変更する。ステップＳＴ６４において、制御部３は一時記憶領域７に格納されたドメイン部分に対応したＥ−ｍａｉｌアドレスをアドレス記憶部４から検索し、ステップＳＴ６５において、制御部３は検索したＥ−ｍａｉｌアドレスのドメイン部分を、上記ステップＳＴ６３で編集したドメイン部分に置換する。
【００５４】
ステップＳＴ６６において、制御部３は、ドメイン部分を置換することにより編集したＥ−ｍａｉｌアドレスを、アドレスリスト４３としてアドレス記憶部４に保存する。
【００５５】
この実施の形態では、編集対象のドメイン部分を保有する全てのＥ−ｍａｉｌアドレスを編集しているが、上記ステップＳＴ６４とＳＴ６５の間で、ユーザが編集するＥ−ｍａｉｌアドレスを選択しても良い。
【００５６】
以上のように、この実施の形態７によれば、アドレス記憶部４に保存されているアドレスリスト４２から、ドメインリストを重複なく抽出し対象のドメイン部分を編集することで、アドレス記憶部４に保存されている同じドメイン部分を保有するＥ−ｍａｉｌアドレスを編集することができるため、編集操作が容易となると共に、ドメインリストを編集時に抽出することで、ドメイン記憶部５が不要となり、メモリを節約することができるという効果が得られる。
【図面の簡単な説明】
【００５７】
【図１】この発明の実施の形態１による携帯電話機の構成を示すブロック図である。
【図２】この発明の実施の形態１による、最初にＥ−ｍａｉｌアドレスを入力し保存する方法を説明する図である。
【図３】この発明の実施の形態１による、最初にＥ−ｍａｉｌアドレスを入力し保存する処理を示すフローチャートである。
【図４】この発明の実施の形態１による、Ｅ−ｍａｉｌアドレスの一部を入力しＥ−ｍａｉｌアドレスを作成する方法を説明する図である。
【図５】この発明の実施の形態１による、Ｅ−ｍａｉｌアドレスの一部を入力しＥ−ｍａｉｌアドレスを作成して保存する処理を示すフローチャートである。
【図６】この発明の実施の形態２による携帯電話機の構成を示すブロック図である。
【図７】この発明の実施の形態２による、Ｅ−ｍａｉｌアドレスの一部を入力しＥ−ｍａｉｌアドレスを作成する方法を説明する図である。
【図８】この発明の実施の形態２による、Ｅ−ｍａｉｌアドレスの一部を入力しＥ−ｍａｉｌアドレスを作成して保存する処理を示すフローチャートである。
【図９】この発明の実施の形態３による、Ｅ−ｍａｉｌアドレスの一部を入力しＥ−ｍａｉｌアドレスを作成する方法を説明する図である。
【図１０】この発明の実施の形態３による、Ｅ−ｍａｉｌアドレスの一部を入力しＥ−ｍａｉｌアドレスを作成して保存する処理を示すフローチャートである。
【図１１】この発明の実施の形態４よる、Ｅ−ｍａｉｌアドレスを入力しドメインリストを作成する方法を説明する図である。
【図１２】この発明の実施の形態５による携帯電話機の構成を示すブロック図である。
【図１３】この発明の実施の形態５による、アドレス記憶部からドメインリストを抽出する様子を説明する図である。
【図１４】この発明の実施の形態５による、Ｅ−ｍａｉｌアドレスの一部を入力しＥ−ｍａｉｌアドレスを作成して保存する処理を示すフローチャートである。
【図１５】この発明の実施の形態６による携帯電話機の構成を示すブロック図である。
【図１６】この発明の実施の形態６による、Ｅ−ｍａｉｌアドレスの編集を説明する図である。
【図１７】この発明の実施の形態６による、Ｅ−ｍａｉｌアドレスの編集処理を示すフローチャートである。
【図１８】この発明の実施の形態７による、Ｅ−ｍａｉｌアドレスの編集を説明する図である。
【図１９】この発明の実施の形態７による、Ｅ−ｍａｉｌアドレスの編集処理を示すフローチャートである。
【符号の説明】
【００５８】
１  入力部、２  表示部、３  制御部、４  アドレス記憶部、５  ドメイン記憶部、６  ドメインアクセスキー、７  一時記憶領域、１１  氏名、１２，３１，３２，３３，３４，３５  Ｅ−ｍａｉｌアドレス、１３，１４  Ｅ−ｍａｉｌアドレスの一部、２１，２２，５１，５２，５３，７１  ドメインリスト、４１  氏名リスト、４２，４３  アドレスリスト、７２  ドメイン部分。
【図１】
2006048722.tif 000003
【図２】
2006048722.tif 000004
【図３】
2006048722.tif 000005
【図４】
2006048722.tif 000006
【図５】
2006048722.tif 000007
【図６】
2006048722.tif 000008
【図７】
2006048722.tif 000009
【図８】
2006048722.tif 000010
【図９】
2006048722.tif 000011
【図１０】
2006048722.tif 000012
【図１１】
2006048722.tif 000013
【図１２】
2006048722.tif 000014
【図１３】
2006048722.tif 000015
【図１４】
2006048722.tif 000016
【図１５】
2006048722.tif 000017
【図１６】
2006048722.tif 000018
【図１７】
2006048722.tif 000019
【図１８】
2006048722.tif 000020
【図１９】
2006048722.tif 000021